(57)【要約】【課題】ユーザーの誤操作によって意に反する処理が実行されることを抑制可能な画像表示装置及び画像形成装置を提供する。【解決手段】画像形成装置は、タッチスクリーン４、第２操作判定処理部５１、条件判定処理部５６、及び操作無効処理部５７を備える。タッチスクリーン４は、実行可能な予め定められた特定処理に関連付けられた特定操作ボタンを表示する。第２操作判定処理部５１は、前記特定操作ボタンに対するタッチ操作が行われたか否かを判定する。条件判定処理部５６は、第２操作判定処理部５１によって前記特定操作ボタンに対するタッチ操作が行われたと判定された場合に予め定められた特定条件を満たすか否かを判定する。操作無効処理部５７は、条件判定処理部５６によって前記特定条件を満たすと判定された場合に前記特定操作ボタンに対するタッチ操作を無効にする処理を実行する。【選択図】図８
2018092263.tif 000002
【特許請求の範囲】
【請求項１】
実行可能な予め定められた特定処理に関連付けられた特定操作ボタンを表示するタッチスクリーンと、
前記特定操作ボタンに対するタッチ操作が行われたか否かを判定する操作判定処理部と、
前記操作判定処理部によって前記特定操作ボタンに対するタッチ操作が行われたと判定された場合に予め定められた特定条件を満たすか否かを判定する条件判定処理部と、
前記条件判定処理部によって前記特定条件を満たすと判定された場合に前記特定操作ボタンに対するタッチ操作を無効にする処理を実行する操作無効処理部と、
を備える画像表示装置。
【請求項２】
表示画面が前記特定操作ボタンを表示した特定表示画面に遷移されてからの経過時間を測定する計時処理部と、
前記操作判定処理部によって前記特定操作ボタンに対するタッチ操作が行われたと判定された場合に前記計時処理部によって測定された前記経過時間が予め定められた特定時間未満であるか否かを判定する経過時間判定処理部と、
をさらに備え、
前記特定条件は、前記経過時間判定処理部によって前記経過時間が前記特定時間未満であると判定されることである請求項１に記載の画像表示装置。
【請求項３】
前記特定条件は、前記特定操作ボタンが前記特定処理である取消処理又は終了処理に関連付けられていることである請求項２に記載の画像表示装置。
【請求項４】
前記経過時間判定処理部によって前記経過時間が前記特定時間未満であると判定された判定回数をカウントするカウント処理部と、
前記カウント処理部によってカウントされた前記判定回数が２回以上の回数から予め定められる規定操作回数であるか否かを判定する回数判定処理部と、
をさらに備え、
前記条件判定処理部は、前記回数判定処理部によって前記判定回数が前記規定操作回数未満であると判定された場合、前記特定条件を満たすと判定する請求項３に記載の画像表示装置。
【請求項５】
印刷用紙に画像を形成する画像形成部と、
請求項１〜４のいずれかに記載の画像表示装置と、
を備える画像形成装置。
【発明の詳細な説明】
【技術分野】
【０００１】
本発明は、タッチスクリーンを備える画像表示装置、及び画像形成装置に関する。
【背景技術】
【０００２】
画像形成装置では、特定の処理に関連づけられた複数の操作ボタンが表示されるタッチスクリーンを有する画像表示装置を備えるものがある（特許文献１参照）。この種の画像形成装置では、ユーザーによる前記操作ボタンに対するタッチ操作に応じて前記特定の処理が実行されると共に、表示画面が遷移する。
【先行技術文献】
【特許文献】
【０００３】
【特許文献１】特開２００７−２３００５４号公報
【発明の概要】
【発明が解決しようとする課題】
【０００４】
しかしながら、前記画像表示装置では、操作ボタンの見間違い、思い込みなどにより、ユーザーがキャンセルなどの処理を指示する特定操作ボタンを誤操作してしまうことがある。特に、処理を早く進めたいユーザーは、操作ボタンを十分に確認することなく操作ボタンに対するタッチ操作を行う傾向があるため誤操作をしやすい。前記特定操作ボタンに対する誤操作を行った場合、ユーザーは、目的とする処理を前記画像表示装置に実行させるための操作をやり直す必要があり、煩わしい作業を強いられる。
【０００５】
本発明は、ユーザーの誤操作によって意に反する処理が実行されることを抑制可能な画像表示装置及び画像形成装置を提供することを目的とする。
【課題を解決するための手段】
【０００６】
本発明の一の局面に係る画像表示装置は、タッチスクリーン、操作判定処理部、条件判定処理部、及び操作無効処理部を備える。前記タッチスクリーンは、実行可能な予め定められた特定処理に関連付けられた特定操作ボタンを表示する。前記操作判定処理部は、前記特定操作ボタンに対するタッチ操作が行われたか否かを判定する。前記条件判定処理部は、前記操作判定処理部によって前記特定操作ボタンに対するタッチ操作が行われたと判定された場合に予め定められた特定条件を満たすか否かを判定する。前記操作無効処理部は、前記条件判定処理部によって前記特定条件を満たすと判定された場合に前記特定操作ボタンに対するタッチ操作を無効にする処理を実行する。
【０００７】
本発明の他の局面に係る画像形成装置は、印刷用紙に画像を形成する画像形成部と、前記画像表示装置と、を備える。
【発明の効果】
【０００８】
本発明によれば、ユーザーの誤操作によって意に反する処理が実行されることを抑制可能な画像表示装置及び画像形成装置を提供できる。
【図面の簡単な説明】
【０００９】
【図１】図１は、本発明の一実施形態に係る画像形成装置を模式的に示す断面図である。
【図２】図２は、図１の画像形成装置のタッチスクリーンでのホーム画面の一例を示す図である。
【図３】図３は、図１の画像形成装置のタッチスクリーンでの用紙サイズ設定画面の一例を示す図である。
【図４】図４は、図１の画像形成装置のタッチスクリーンでのカラー設定画面の一例を示す図である。
【図５】図５は、図１の画像形成装置のタッチスクリーンでの集約設定画面の一例を示す図である。
【図６】図６は、図１の画像形成装置のタッチスクリーンでの他項目設定画面の一例を示す図である。
【図７】図７は、図１の画像形成装置のタッチスクリーンでのコピー指示画面の一例を示す図である。
【図８】図８は、図１の画像形成装置の制御部の一例を示すブロック図である。
【図９】図９は、図８の制御部によって実行される操作無効処理の手順の一例を示すフローチャートである。
【図１０】図１０は、図８の制御部によって実行される操作無効処理の手順の一例を示すフローチャートである。
【図１１】図１１は、図８の制御部によって実行される操作無効処理の手順の一例を示すフローチャートである。
【図１２】図１２は、図８の制御部によって実行される操作無効処理の手順の一例を示すフローチャートである。
【発明を実施するための形態】
【００１０】
以下、図面を参照して本発明の実施形態について説明する。なお、以下に説明される実施形態は本発明を具体化した一例にすぎず、本発明の要旨を変更しない範囲で、本発明の実施形態は適宜変更できる。
【００１１】
図１に示される画像形成装置１０は、原稿から画像を読み取るスキャナー機能、及びトナーを用いて電子写真方式により印刷用紙にカラー画像又はモノクロ画像を形成可能なプリンター機能を有する。また、本実施形態では、画像形成装置１０は、ファクシミリー機能、送信機能、及びＢＯＸ機能を備える。
【００１２】
画像形成装置１０は、ＡＤＦ１１、画像読取部１２、画像形成部１３、給紙トレイ１４、排紙トレイ１５、タッチスクリーン４及び制御部５を備える。
【００１３】
ＡＤＦ１１は、原稿セット部（不図示）にセットされた原稿を画像読取部１２による画像データの読取位置に通過させて搬送する自動原稿搬送装置である。画像読取部１２は、コンタクトガラス（不図示）にセットされた原稿、又はＡＤＦ１１により搬送される原稿から画像を読み取ることが可能である。
【００１４】
画像形成部１３は、印刷用紙に画像を形成する。画像形成部１３は、複数の画像形成ユニット２、中間転写ベルト３１、露光装置３２、二次転写ローラー３３及び定着装置３４を備える。
【００１５】
画像形成ユニット２各々は、トナー像を担持する感光体ドラム２１、感光体ドラム２１の外表面を帯電させる帯電装置２２、感光体ドラム２１にトナー像を形成する現像装置２３、及び一次転写装置２４を備える。
【００１６】
中間転写ベルト３１は、複数色のトナー像（本実施形態では４色）からなるトナー像を担持する。中間転写ベルト３１は、駆動ローラー３１１及び従動ローラー３１２によって回転駆動可能に支持されている。中間転写ベルト３１の表面は、各感光体ドラム２１の表面に接しながら移動可能である。
【００１７】
二次転写ローラー３３は、中間転写ベルト３１に転写されたトナー像を給紙トレイ１４から搬送されてきた印刷用紙に転写する。トナー像が転写された印刷用紙は、図示しない搬送部によって定着装置３４に搬送される。定着装置３４は、加熱ローラー３４１及び加圧ローラー３４２を有する。定着装置３４はトナー像が転写された印刷用紙に対して熱と圧力を加えながら搬送する。これにより、トナー像が溶融して印刷用紙に定着される。トナー像が定着された印刷用紙はさらに下流側へ搬送され、中間転写ベルト３１の上方に配置された排紙トレイ１５に排出される。
【００１８】
タッチスクリーン４は、例えば液晶表示装置などの画像表示部に透過性を有するタッチパネルを重ね合わせた構成を有する。タッチスクリーン４は、本発明の画像表示装置を構成する。本実施形態では、タッチスクリーン４は、前記画像表示部が表示部として機能し、タッチパネルが操作部として機能する。即ち、タッチスクリーン４は、各種情報を表示し、画像形成装置１０に情報を入力するときにユーザーに操作される。例えば、タッチスクリーン４は、画像形成装置１０において実行可能な予め定められた処理に関連付けられた複数の操作ボタンを表示可能である。そして、画像形成装置１０では、ユーザーによって前記操作ボタンに対するタッチ操作が行われた場合、前記操作ボタンに対応付けられた処理が実行され、タッチスクリーン４における表示画面が遷移する。なお、本発明におけるタッチ操作は、シングルタップである。
【００１９】
ここで、図２〜図７は、画像形成装置１０のタッチスクリーン４での表示画面の一例である。図２に示される表示画面はホーム画面６である。図３〜図６に示される表示画面はコピー設定画面７である。図７に示される表示画面はコピー指示画面９である。なお、コピー設定画面７及びコピー指示画面９は、本発明の特定表示画面の一例である。
【００２０】
図２に示されるように、ホーム画面６は、画像形成装置１０において実行可能な機能に対する複数の第１操作ボタン６１〜６４を表示したものである。
【００２１】
第１操作ボタン６１は、「コピー」の文字画像を含み、ユーザーによるタッチ操作によってコピー機能を実行させる。第１操作ボタン６２は、「ＦＡＸ」の文字画像を含み、ユーザーによるタッチ操作によってファクシミリー機能を実行させる。第１操作ボタン６３は、「送信」の文字画像を含み、ユーザーによるタッチ操作によって原稿から読み取った画像データなどをパーソナルコンピューター、ＦＴＰサーバーなどの外部機器に送信し、前記外部機器に保存させる送信機能を実行させる。第１操作ボタン６４は、「ＢＯＸ」の文字画像を含み、ユーザーによるタッチ操作によって前記画像データを画像形成装置１０のハードディスク装置などのメモリに保存するＢＯＸ機能を実行させる。
【００２２】
図３〜図６に示されるコピー設定画面７は、用紙サイズ設定画面７１（図３参照）、カラー設定画面７２（図４参照）、集約設定画面７３（図５参照）、及び他項目設定画面７４（図６参照）を含む。
【００２３】
図３に示される用紙サイズ設定画面７１は、ユーザーによって印刷用紙のサイズ設定を可能な表示画面である。用紙サイズ設定画面７１は、ホーム画面６に「コピー」と表示された第１操作ボタン６１（図２参照）に対するタッチ操作が行われたときに遷移する。なお、用紙サイズ設定画面７１への遷移時は、コピー設定はデフォルト設定とされている。用紙サイズのデフォルト設定は「Ａ４」である。印刷色のデフォルト設定は、画像読取部１２によって読み取られた原稿の画像データに基づいて画像形成装置１０が印刷色を選択する「自動」である。集約のデフォルト設定は「１  ｉｎ  １」（集約処理なし）である。
【００２４】
また、用紙サイズ設定画面７１では、コピー設定画面７であることを示す画像８１、設定可能な項目を示す画像８２、複数の第２操作ボタン７１１〜７１４、及び複数の第３操作ボタン８３〜８５が表示される。画像８１は、「コピー設定」の文字画像を含む。画像８２は、４つの領域を有する。各領域は、コピー設定可能の項目に対する文字画像、及び選択されている設定内容に関する文字画像を含む。画像８２では、設定中の項目に対応する領域が他の項目に対応する領域とは異なる態様で表示される。設定中の項目に対応する領域は、例えば反転表示される。図３では、「用紙：Ａ４」を含む領域が反転表示されており、設定項目が用紙サイズであり、用紙サイズとしてＡ４サイズが選択されていることを示している。
【００２５】
複数の第２操作ボタン７１１〜７１４は、設定可能な用紙サイズに関する操作ボタンである。第２操作ボタン７１１は、画像形成装置１０が用紙サイズを自動的に選択することを示す「自動」の文字画像を含む。第２操作ボタン７１２は、用紙サイズがＡ４サイズであることを示す「Ａ４」の文字画像を含む。第２操作ボタン７１３は、用紙サイズがＡ５サイズであることを示す「Ａ５」の文字画像を含む。第２操作ボタン７１４は、用紙サイズがＢ５サイズであることを示す「Ｂ５」の文字画像を含む。用紙サイズ設定画面７１では、第２操作ボタン７１１〜７１４のいずれかに対するタッチ操作によって用紙サイズを設定できる。複数の第２操作ボタン７１１〜７１４では、選択されている設定内容の画像が他の設定内容の画像とは異なる態様で表示される。選択中の設定内容の画像は、例えば反転表示される。図３では、用紙サイズとしてＡ４サイズが選択されている。
【００２６】
複数の第３操作ボタン８３〜８５は、「クリア」の文字画像を含む第３操作ボタン８３、「キャンセル」の文字画像を含む第３操作ボタン８４、及び「次へ」の文字画像を含む第３操作ボタン８５からなる。
【００２７】
「クリア」に関する第３操作ボタン８３がタッチ操作された場合、画像形成装置１０は、後述の特定条件を満たす場合を除いてコピー設定をデフォルトに設定する。第３操作ボタン８３は、本発明の特定操作ボタンの一例である。また、第３操作ボタン８３に関連付けられた処理は、本発明の特定処理のうちの取消処理の一例である。
【００２８】
「キャンセル」に関する第３操作ボタン８４がタッチ操作された場合、画像形成装置１０は、後述の特定条件を満たす場合を除いて原稿のコピーを行うことなくコピー設定を終了する。このとき、表示画面は、ホーム画面６に遷移する。第３操作ボタン８４は、本発明の特定操作ボタンの一例である。また、第３操作ボタン８４に関連付けられた処理は、本発明の特定処理のうちの終了処理の一例である。
【００２９】
「次へ」に関する第３操作ボタン８３がタッチ操作された場合、画像形成装置１０は、ユーザーによって設定された用紙サイズに関する情報を記憶部（不図示）に記憶し、表示画面をカラー設定画面７２に遷移する（図４参照）。
【００３０】
図４に示されるカラー設定画面７２は、ユーザーによって印刷色設定を可能な表示画面である。カラー設定画面７２は、用紙サイズ設定画面７１に「次へ」と表示された第３操作ボタン８５（図３参照）に対するタッチ操作が行われたときに遷移する。なお、カラー設定画面７２への遷移時は、カラー設定がデフォルトの「自動」に設定されている。
【００３１】
また、カラー設定画面７２では、コピー設定画面７であることを示す画像８１、設定可能な項目を示す画像８２、複数の第３操作ボタン８３〜８５、及び複数の第４操作ボタン７２１〜７２３が表示される。画像８１、画像８２及びは複数の第３操作ボタン８３〜８５は、用紙サイズ設定画面７１の場合と同様である。但し、カラー設定画面７２において「次へ」に関する第３操作ボタン８５がタッチ操作された場合、画像形成装置１０は、ユーザーによって設定された印刷色に関する情報を記憶部（不図示）に記憶し、表示画面を集約設定画面７３に遷移する（図５参照）。
【００３２】
複数の第４操作ボタン７２１〜７２３は、設定可能な印刷色に関する操作ボタンである。第４操作ボタン７２１は、画像形成装置１０が印刷色を自動的に選択することを示す「自動」の文字画像を含む。第４操作ボタン７２２は、印刷色がカラーであることを示す「カラー」の文字画像を含む。第４操作ボタン７２３は、印刷色がモノクロであることを示す「モノクロ」の文字画像を含む。カラー設定画面７２では、第４操作ボタン７２１〜７２３のいずれかに対するタッチ操作によって印刷色を設定できる。
【００３３】
図５に示される集約設定画面７３は、ユーザーによって集約パターンの設定を可能な表示画面である。集約設定画面７３は、カラー設定画面７２に「次へ」と表示された第３操作ボタン８５（図４参照）に対するタッチ操作が行われたときに遷移する。なお、集約設定画面７３への遷移時は集約パターン設定がデフォルトの「１  ｉｎ  １」（集約処理なし）に設定されている。
【００３４】
また、集約設定画面７３では、コピー設定画面７であることを示す画像８１、設定可能な項目を示す画像８２、複数の第３操作ボタン８３〜８５、及び複数の第５操作ボタン７３１〜７３３が表示される。画像８１、画像８２及びは複数の第３操作ボタン８３〜８５は、用紙サイズ設定画面７１及びカラー設定画面７２の場合と同様である。但し、集約設定画面７３において「次へ」に関する第３操作ボタン８５がタッチ操作された場合、画像形成装置１０は、ユーザーによって設定された集約パターン設定に関する情報を記憶部（不図示）に記憶し、表示画面を他項目設定画面７４に遷移する（図６参照）。
【００３５】
複数の第５操作ボタン７３１〜７３３は、設定可能な集約パターンに関する操作ボタンである。第５操作ボタン７３１は集約しないことを示す「１  ｉｎ  １」の文字画像を含む。第５操作ボタン７３２は２枚の原稿の画像を１枚の用紙に印刷することを示す「２  ｉｎ  １」の文字画像を含む。第５操作ボタン７３３は４枚の原稿の画像を１枚の用紙に印刷することを示す「４  ｉｎ  １」の文字画像を含む。集約設定画面７３では、第５操作ボタン７３１〜７３３のいずれかに対するタッチ操作によって集約パターンを設定できる。
【００３６】
図６に示される他項目設定画面７４は、用紙サイズ設定、カラー設定及び集約設定以外の予め定められた他の項目の設定が可能な表示画面である。前記他の項目としては、例えば印刷濃度、画像データの拡縮、印刷用紙の種別などが挙げられる。また、他項目設定画面７４では、用紙サイズ設定画面７１などと同様に、コピー設定画面７であることを示す画像８１、設定可能な項目を示す画像８２、複数の第３操作ボタン８３〜８５が表示される。但し、他項目設定画面７４において「次へ」に関する第３操作ボタン８５がタッチ操作された場合、画像形成装置１０は、ユーザーによって設定された前記他の項目に関する情報を記憶部（不図示）に記憶し、表示画面をコピー指示画面９に遷移する（図７参照）。
【００３７】
図７に示されるコピー指示画面９は、コピー開始を指示可能な画面である。コピー指示画面９では、複数の第６操作ボタン９１〜９３が表示される。
【００３８】
第６操作ボタン９１は、「コピーする」の文字画像を含む。「コピーする」に関する第６操作ボタン９１がタッチ操作された場合、画像形成装置１０はコピー処理を実行する。即ち、画像形成装置１０は、画像読取部１２によって原稿の画像を読み取り、原稿から読み取られた画像データに基づいて、画像形成部１３によって用紙に画像を形成する。
【００３９】
第６操作ボタン９２は、「クリア」の文字画像を含む。「クリア」に関する第６操作ボタン９２がタッチ操作された場合、画像形成装置１０は、後述の特定条件を満たす場合を除いてコピー設定をデフォルトに設定する。このとき、表示画面は、コピー設定画面７の用紙サイズ設定画面７１（図３参照）に遷移する。
【００４０】
第６操作ボタン９３は、「キャンセル」の文字画像を含む。「キャンセル」に関する第６操作ボタン９３がタッチ操作された場合、後述の特定条件を満たす場合を除いて画像形成装置１０は原稿のコピーを行うことなくコピー設定を終了する。このとき、表示画面は、ホーム画面６に遷移する（図２参照）。
【００４１】
なお、「クリア」に関する第６操作ボタン９２及び「キャンセル」に関する第６操作ボタン９３は、「クリア」に関する第３操作ボタン８３及び「キャンセル」に関する第３操作ボタン８４と同様に本発明の特定操作ボタンの一例である。
【００４２】
図１に示される制御部５は、画像形成部１３を統括的に制御する。また、制御部５は、タッチスクリーン４の表示画面の遷移、タッチスクリーン４に対するタッチ操作に応じた処理などを実行する。制御部５は、ＣＰＵ、ＲＯＭ、ＲＡＭなどの制御機器を有するコンピューターである。制御部５は、ＲＡＭなどを一時記憶メモリー（作業領域）として使用してＲＯＭに予め記憶された制御プログラムを実行することで、画像形成部１３、タッチスクリーン４などを制御する。また、図８に示されるように、制御部５は、第１操作判定処理部５０、第２操作判定処理部５１（本発明の操作判定処理部の一例）、計時処理部５２、経過時間判定処理部５３、カウント処理部５４、回数判定処理部５５、条件判定処理部５６及び操作無効処理部５７を備える。なお、第２操作判定処理部５１、計時処理部５２、経過時間判定処理部５３、カウント処理部５４、回数判定処理部５５、条件判定処理部５６及び操作無効処理部５７は、本発明の画像表示装置を構成する。
【００４３】
第１操作判定処理部５０は、コピー設定画面７などの表示画面に表示された第２操作ボタン７１１〜７１４、第３操作ボタン８３〜８５などの操作ボタンに対するタッチ操作が行われたか否かを判定する。
【００４４】
第２操作判定処理部５１は、特定操作ボタンに対するタッチ操作が行われたか否かを判定する。具体的には、第２操作判定処理部５１は、第１操作判定処理部５０によって操作ボタンに対するタッチ操作が行われたと判定された場合に、タッチ操作が行われた操作ボタンが予め定められた特定操作ボタンであるか否かを判定する。例えば、第２操作判定処理部５１は、第１操作判定処理部５０によってタッチ操作が行われたと判定された操作ボタンが、制御部５に記憶された特定操作ボタンに該当するか否かを判定する。本実施形態では、特定操作ボタンは、第３操作ボタン８３，８４及び第６操作ボタン９２，９３である。
【００４５】
計時処理部５２は、表示画面が前記特定操作ボタンを表示したコピー設定画面７などの特定表示画面に遷移してからの経過時間を測定する。即ち、計時処理部５２は、前記特定操作ボタンを表示してからの時間を計測する。例えば、計時処理部５２は、前記特定表示画面に遷移した場合に制御部５の計時カウンタ（不図示）を所定のクロック周期に合わせてインクリメントすることで前記経過時間を測定する。
【００４６】
経過時間判定処理部５３は、第２操作判定処理部５１によって前記特定操作ボタンに対するタッチ操作が行われたと判定された場合に、計時処理部５２によって測定された前記経過時間が予め定められた特定時間未満であるか否かを判定する。即ち、経過時間判定処理部５３は、前記特定時間が経過するまでに前記特定操作ボタンに対するタッチ操作が行われたか否かを判定する。前記特定時間は、例えば１分以内に設定される。前記特定時間は、１０秒以内が好ましく、２秒以内がより好ましい。また、前記特定時間は、ユーザー設定によりユーザーの好みの時間を設定できるようにしてもよい。
【００４７】
カウント処理部５４は、前記特定時間内において、第２操作判定処理部５１によって前記特定操作ボタンに対するタッチ操作が行われたと判定された判定回数をカウントする。即ち、カウント処理部５４は、前記特定時間が経過するまでに前記特定操作ボタンに対するタッチ操作が行われた回数をカウントする。例えば、カウント処理部５４は、前記特定時間が経過するまでに前記特定操作ボタンに対するタッチ操作が行われたときに制御部５の判定回数カウンタ（不図示）をインクリメントすることで前記判定回数をカウントする。なお、前記判定回数カウンタの値は、前記特定時間の経過後、操作無効処理部５７によって前記特定操作ボタンに対するタッチ操作が無効にされた場合、又は操作無効処理部５７によって前記特定操作ボタンに対するタッチ操作が有効にされた場合などにクリアされる。また、カウント処理部５４は、前記特定操作ボタンが複数設定されている場合、前記特定操作ボタンごとに前記判定回数をカウントする。本実施形態では、カウント処理部５４は、「クリア」に関する特定操作ボタンに対する前記判定回数を第１カウント数Ｎ１としてカウントし、「キャンセル」に関する特定操作ボタンに対する前記判定回数を第２カウント数Ｎ２としてカウントする。
【００４８】
回数判定処理部５５は、カウント処理部５４によってカウントされた前記判定回数が２回以上の回数から予め定められた規定操作回数であるか否かを判定する。例えば、回数判定処理部５５は、前記判定回数カウンタの値を参照することで、前記判定回数が前記規定操作回数であるか否かを判定する。
【００４９】
条件判定処理部５６は、第２操作判定処理部５１によって前記特定操作ボタンに対するタッチ操作が行われたと判定された場合に予め定められた特定条件を満たすか否かを判定する。本実施形態では、前記特定条件は、例えば経過時間判定処理部５３によって前記経過時間が前記特定時間未満であると判定されることである。また、前記特定条件としては、前記特定操作ボタンが画像形成装置１０で実行可能な予め定められた特定処理に関連付けられていることが考えられる。前記特定処理は、例えば目的とする処理に対する進行を妨げる処理である。目的とする処理に対する進行を妨げる処理とは、例えば取消処理、終了処理である。また、条件判定処理部５６は、前記特定時間内に前記特定処理に関連付けられている前記特定操作ボタンが操作された場合において、回数判定処理部５５によって前記判定回数が前記規定操作回数未満であると判定されたときに、前記特定条件を満たすと判定してもよい。
【００５０】
操作無効処理部５７は、条件判定処理部５６によって前記特定条件を満たすと判定された場合に前記特定操作ボタンに対するタッチ操作を無効にする処理を実行する。本実施形態では、操作無効処理部５７は、前記特定時間内に前記特定操作ボタンに対するタッチ操作が場合に、前記特定時間内での前記特定操作ボタンに対するタッチ操作の回数が前記規定操作回数未満であるときに前記特定操作ボタンに対するタッチ操作を無効にする処理を実行する。
【００５１】
ところで、タッチスクリーンを備える画像形成装置では、操作ボタンの見間違い、思い込みなどによりキャンセルなどの処理を指示する特定操作ボタンを誤操作してしまうことがある。特に、処理を早く進めたいユーザーは、操作ボタンを十分に確認することなく操作ボタンに対するタッチ操作を行う傾向があるため誤操作をしやすい。前記特定操作ボタンに対する誤操作を行った場合、ユーザーは、目的とする処理を前記画像表示装置に実行させるための操作をやり直す必要があり、煩わしい作業を強いられる。これ対して、本実施形態に係る画像形成装置１０では、キャンセルなどの処理を指示する特定操作ボタンが表示されてから特定時間内に前記特定操作ボタンに対するタッチ操作が、２回以上の回数から予め定められた規定操作回数行われたときにタッチ操作が有効にされ、前記規定操作回数未満であるときに前記特定操作ボタンに対するタッチ操作が無効にされる。即ち、ユーザーは、前記特定時間内に前記特定操作ボタンに対するタッチ操作を有効にするためには前記特定操作ボタンに対して前記規定操作回数以上のタッチ操作を行う必要がある。そのため、ユーザーが特定操作ボタンを誤操作した場合であっても、誤操作回数が前記規定操作回数未満であるときには、ユーザーを誤操作から救済することが可能になる。これにより、ユーザーに対して煩わしい作業を強いる可能性を低減できる。
【００５２】
次に、図９のフローチャートを参照して、制御部５によって実行される操作無効処理について説明する。図中のＳ１、Ｓ２、・・・は処理手順（ステップ）の番号を表している。なお、各ステップは、制御部５の第１操作判定処理部５０、第２操作判定処理部５１、計時処理部５２、経過時間判定処理部５３、カウント処理部５４、回数判定処理部５５、条件判定処理部５６、操作無効処理部５７などにより実行される。また、以下に説明する操作無効処理では、前記規定操作回数が２回に定められているものとする。
【００５３】
＜ステップＳ１及びＳ２＞
図９に示されるように、ステップＳ１において、制御部５は、遷移後の表示画面が前記特定操作ボタンを表示した特定表示画面であるか否かを判定する。例えば、制御部５は、遷移後の表示画面が用紙サイズ設定画面７１（図３参照）に遷移したか否か、遷移後の表示画面がコピー指示画面９（図７参照）に遷移したか否かなどを判定する。
【００５４】
制御部５は、表示画面が前記特定表示画面に遷移した場合（ステップＳ１：Ｙｅｓ）、ステップＳ２に処理を移行させる。一方、制御部５は、表示画面が特定表示画面に遷移しなかった場合（ステップＳ１：Ｎｏ）、操作無効処理を終了する。
【００５５】
＜ステップＳ２＞
ステップＳ２において、制御部５は、前記特定表示画面に遷移してからの経過時間の計時を開始する。前記経過時間の計時は、計時処理部５２によって実行される。
【００５６】
＜ステップＳ３＞
ステップＳ３において、制御部５は、表示画面が特定表示画面に遷移してからの経過時間が前記特定時間未満であるか否かを判定する。具体的には、経過時間判定処理部５３は、前記計時カウンタ（不図示）に基づいて、前記経過時間が前記特定時間未満であるか否かを判定する。
【００５７】
制御部５は、前記経過時間が前記特定時間未満である場合（ステップＳ３：Ｙｅｓ）、ステップＳ４に処理を移行させる。一方、制御部５は、前記経過時間が前記特定時間未満でない場合（ステップＳ３：Ｎｏ）、ステップＳ１０に処理を移行させる。
【００５８】
＜ステップＳ４＞
前記特定時間が経過していない場合（ステップＳ３：Ｙｅｓ）、ステップＳ４において、制御部５は、操作ボタンに対するタッチ操作が行われた否かを第１操作判定処理部５０によって判定する。
【００５９】
制御部５は、操作ボタンに対するタッチ操作が行われた場合（ステップＳ４：Ｙｅｓ）、ステップＳ５に処理を移行させる。一方、制御部５は、操作ボタンに対するタッチ操作が行われていない場合（ステップＳ４：Ｎｏ）、ステップＳ３に処理を移行させ、前記特定時間が経過しているか否かを判定する。
【００６０】
＜ステップＳ５＞
制御部５は、操作ボタンに対するタッチ操作が行われた場合（ステップＳ４：Ｙｅｓ）、ステップＳ５において、タッチ操作が行われた操作ボタンが「クリア」に関する前記特定操作ボタンであるか否かを判定する。タッチ操作が行われた操作ボタンが「クリア」に関する前記特定操作ボタンであるか否かの判定は、第２操作判定処理部５１によって行われる。
【００６１】
制御部５は、タッチ操作が行われた操作ボタンが「クリア」に関する前記特定操作ボタンである場合（ステップＳ５：Ｙｅｓ）、ステップＳ６に処理を移行させる。一方、制御部５は、タッチ操作が行われた操作ボタンが「クリア」に関する前記特定操作ボタンでない場合（ステップＳ５：Ｎｏ）、ステップＳ７に処理を移行させる。
【００６２】
＜ステップＳ６＞
制御部５は、「クリア」に関する前記特定操作ボタンに対するタッチ操作が行われた場合（ステップＳ５：Ｙｅｓ）、ステップＳ６において、図１０に示すクリア操作処理を実行する。
【００６３】
図１０に示されるように、制御部５は、カウント処理部５４によって前記第１カウント数Ｎ１をインクリメントする（ステップＳ６１）。前記第１カウント数Ｎ１をインクリメントした場合（ステップＳ６１）、制御部５は、回数判定処理部５５によって第１カウント数Ｎ１が「２」であるか否かを判定する（ステップＳ６２）。
【００６４】
制御部５は、第１カウント数Ｎ１が「２」である場合（ステップＳ６２：Ｙｅｓ）、ステップＳ６３に処理を移行させる。一方、制御部５は、第１カウント数Ｎ１が「２」でない場合（ステップＳ６２：Ｎｏ）、ステップＳ３（図９参照）に処理を移行させ、前記特定時間が経過しているか否かを判定する。
【００６５】
制御部５は、第１カウント数Ｎ１が「２」である場合（ステップＳ６２：Ｙｅｓ）、「クリア」に関する前記特定操作ボタンに対するタッチ操作を有効にし（ステップＳ６３）、回数判定処理部５５によって第１カウント数Ｎ１及び第２カウント数Ｎ２をクリアにする（ステップＳ６４）。制御部５は、ステップＳ６３及びＳ６４に対する処理が終了した場合、操作無効処理を終了する。
【００６６】
＜ステップＳ５＞
図９に示されるように、制御部５は、タッチ操作が行われた操作ボタンが「クリア」に関する前記特定操作ボタンでない場合（ステップＳ５：Ｎｏ）、タッチ操作が行われた操作ボタンが「キャンセル」に関する前記特定操作ボタンであるか否かを判定する（ステップＳ７）。
【００６７】
制御部５は、「キャンセル」に関する前記特定操作ボタンに対するタッチ操作が行われた場合（ステップＳ７：Ｙｅｓ）、ステップＳ８に処理を移行させる。一方、制御部５は、「キャンセル」に関する前記特定操作ボタンに対するタッチ操作が行われていない場合（ステップＳ７：Ｎｏ）、ステップＳ９に処理を移行させる。
【００６８】
＜ステップＳ８＞
制御部５は、「キャンセル」に関する前記特定操作ボタンに対するタッチ操作が行われた場合（ステップＳ７：Ｙｅｓ）、図１１に示すキャンセル操作処理を実行する。
【００６９】
図１１に示されるように、制御部５は、カウント処理部５４によって前記第２カウント数Ｎ２をインクリメントする（ステップＳ８１）。前記第２カウント数Ｎ２をインクリメントした場合（ステップＳ８１）、制御部５は、回数判定処理部５５によって第２カウント数Ｎ２が「２」であるか否かを判定する（ステップＳ８２）。
【００７０】
制御部５は、第２カウント数Ｎ２が「２」である場合（ステップＳ８２：Ｙｅｓ）、ステップＳ８３に処理を移行させる。一方、制御部５は、第２カウント数Ｎ２が「２」でない場合（ステップＳ８２：Ｎｏ）、ステップＳ３（図９参照）に処理を移行させ、前記特定時間が経過しているか否かを判定する。
【００７１】
制御部５は、第２カウント数Ｎ２が「２」である場合（ステップＳ８２：Ｙｅｓ）、「キャンセル」に関する前記特定操作ボタンに対するタッチ操作を有効にし（ステップＳ８３）、回数判定処理部５５によって第１カウント数Ｎ１及び第２カウント数Ｎ２をクリアにする（ステップＳ８４）。制御部５は、ステップＳ８３及びＳ８４に対する処理が終了した場合、操作無効処理を終了する。
【００７２】
＜ステップＳ９＞
図９に示されるように、制御部５は、タッチ操作が行われた操作ボタンが「クリア」及び「キャンセル」に関する前記特定操作ボタンでない場合（ステップＳ７：Ｎｏ）、タッチ操作が行われた操作ボタンに関連付けられた処理を実行し、操作無効処理を終了する。
【００７３】
＜ステップＳ１０＞
前記経過時間が前記特定時間未満でない場合（ステップＳ３：Ｎｏ）、制御部５は、図１２に示す特定時間経過処理を実行する。
【００７４】
図１２に示されるように、制御部５は、計時処理部５２による前記経過時間の測定を終了し（ステップＳ１１）、回数判定処理部５５によって第１カウント数Ｎ１が「１」であるか否かを判定する（ステップＳ１２）。制御部５は、第１カウント数Ｎ１が「１」である場合（ステップＳ１２：Ｙｅｓ）、ステップＳ１３に処理を移行させる。一方、制御部５は、第１カウント数Ｎ１が「１」でない場合（ステップＳ１２：Ｎｏ）、ステップＳ１４に処理を移行させる。
【００７５】
制御部５は、第１カウント数Ｎ１が「１」である場合（ステップＳ１２：Ｙｅｓ）、ユーザーによるクリア操作を無効にする処理を実行し、処理をステップＳ１６に移行させる。
【００７６】
一方、制御部５は、第１カウント数Ｎ１が「１」でない場合（ステップＳ１２：Ｎｏ）、回数判定処理部５５によって第２カウント数Ｎ２が「１」であるか否かを判定する（ステップＳ１４）。制御部５は、第２カウント数Ｎ２が「１」である場合（ステップＳ１４：Ｙｅｓ）、ステップＳ１５に処理を移行させる。一方、制御部５は、第２カウント数Ｎ２が「１」でない場合（ステップＳ１４：Ｎｏ）、操作無効処理を終了する。
【００７７】
制御部５は、第２カウント数Ｎ２が「１」である場合（ステップＳ１４：Ｙｅｓ）、ユーザーによるキャンセル操作を無効にする処理を実行し、処理をステップＳ１６に移行させる。
【００７８】
クリア操作又はキャンセル操作の無効処理を実行した場合（ステップＳ１３又はＳ１５）、制御部５は、前記第１カウント数Ｎ１及び前記第２カウント数Ｎ２をクリアする（ステップＳ１６）。具体的には、カウント処理部５４は、ステップＳ６１においてインクリメントされる第１カウント数Ｎ１及びステップＳ８１においてインクリメントされる第２カウント数Ｎ２をクリアする（図１０及び図１１参照）。ステップＳ１６の処理が終了した場合、制御部５は、操作無効処理を終了する。
【００７９】
なお、図９〜図１２に示す操作無効処理では、「クリア」又は「キャンセル」などの取消処理又は終了処理を実行する操作ボタンに対するタッチ操作が２回行われた場合にタッチ操作を有効にしていた。しかしながら、「クリア」又は「キャンセル」などの取消処理又は終了処理を実行する操作ボタンに対するタッチ操作が３回以上の回数から予め定められた操作回数（例えば３回、４回など）のタッチ操作が行われたときにタッチ操作を有効にするようにしてもよい。
【００８０】
前記操作無効処理では、前記特定時間が経過する前に「クリア」又は「キャンセル」などの取消処理又は終了処理を実行する操作ボタンに対するタッチ操作が行われた場合、無条件でタッチ操作を無効にすることが他の実施形態として考えられる。また、前記他の実施形態でのタッチ操作は、シングルタップだけでなく、ダブルタップ及びロングタップを含むことが考えられる。
【００８１】
また、本発明は、画像形成装置だけでなく、タッチスクリーンを備え、タッチスクリーンに取消処理又は終了処理などの前記特定処理に関連付けられた操作ボタンが表示される画像表示装置、及び前記画像表示装置を備える各種装置に適用できる。
【符号の説明】
【００８２】
１０  画像形成装置
１３  画像形成部
４  タッチスクリーン
５  制御部
５１  第２操作判定処理部
５２  計時処理部
５３  経過時間判定処理部
５４  カウント処理部
５５  回数判定処理部
５６  条件判定処理部
５７  操作無効処理部
７  コピー設定画面
７１  用紙サイズ設定画面
７２  カラー設定画面
７３  集約設定画面
７４  他項目設定画面
８３，８４  第３操作ボタン
９  コピー指示画面
９２，９３  第６操作ボタン
【図１】
2018092263.tif 000003
【図２】
2018092263.tif 000004
【図３】
2018092263.tif 000005
【図４】
2018092263.tif 000006
【図５】
2018092263.tif 000007
【図６】
2018092263.tif 000008
【図７】
2018092263.tif 000009
【図８】
2018092263.tif 000010
【図９】
2018092263.tif 000011
【図１０】
2018092263.tif 000012
【図１１】
2018092263.tif 000013
【図１２】
2018092263.tif 000014